(57)【特許請求の範囲】
【請求項１】
店舗に配置され、来店者が触れることで情報の入力が可能なタッチパネル部を備えた自動機と、
除菌イオンを発生する除菌イオン発生手段と、
該除菌イオン発生手段にて発生した除菌イオンを含む風を前記タッチパネル部に向け送風する送風手段とを有し、
前記送風手段は、一の前記除菌イオン発生手段により発生した除菌イオンを含む風を、複数の前記自動機に向けて分岐案内するダクトを有することを特徴とする店舗システム。
【請求項２】
店舗に配置され、来店者が触れることで情報の入力が可能なタッチパネル部を備えた自動機と、
除菌イオンを発生する除菌イオン発生手段と、
該除菌イオン発生手段にて発生した除菌イオンを含む風を前記タッチパネル部に向け送風する送風手段とを有し、
前記送風手段は、一の前記除菌イオン発生手段により発生した除菌イオンを含む風の方向を、複数方向に選択的に切り換える切換手段を有することを特徴とする店舗システム。
【請求項３】
前記送風手段は、一の前記除菌イオン発生手段により発生した除菌イオンを含む風の方向を、複数方向に選択的に切り換える切換手段を有することを特徴とする請求項１記載の店舗システム。
【請求項４】
前記切換手段は、前記風の方向を、定期的に切り換えることを特徴とする請求項２または３記載の店舗システム。
【請求項５】
複数の前記自動機のそれぞれの前面側に人が居ることを検知する検知手段と、
前面側に人が居ることが前記検知手段により検知された前記自動機の方向を優先して、前記切換手段により前記風の方向を切り換える優先手段とを有することを特徴とする請求項２乃至４のいずれか一項記載の店舗システム。
【請求項６】
前面側に人が居ることが前記検知手段により検知された前記自動機の数に応じて、前記除菌イオン発生手段による除菌イオンの発生濃度および前記送風手段による送風量の少なくともいずれか一方を増減制御する制御手段を有することを特徴とする請求項５記載の店舗システム。
【請求項７】
前記除菌イオン発生手段および前記送風手段が、前記自動機とは別に設けられていることを特徴とする請求項１乃至６のいずれか一項記載の店舗システム。
【請求項８】
前記店舗が金融機関の自動機コーナーであり、前記自動機が前記自動機コーナーに配置された現金取扱機であることを特徴とする請求項１乃至７のいずれか一項記載の店舗システム。
【請求項９】
前記店舗が金融機関のロビーであり、前記自動機が前記ロビーに配置された窓口呼出番号発券機であることを特徴とする請求項１乃至８のいずれか一項記載の店舗システム。
【発明の詳細な説明】
【技術分野】
【０００１】
本発明は、店舗システムに関する。
【背景技術】
【０００２】
自動機のタッチパネル部は、案内表示に触れるという簡単な操作で入力が可能であることから、種々の自動機に採用されている。ところで、タッチパネル部には不特定多数の人が触れることになるため、使用者によっては衛生上の懸念を生じることがある。このため、抗菌の保護シートを移送しその新しい部分をタッチパネル部の表面に配置するようにして、衛生上の懸念を排除する技術がある（例えば、特許文献１参照）。
【先行技術文献】
【特許文献】
【０００３】
【特許文献１】特開平８−１８５５６０号公報
【発明の概要】
【発明が解決しようとする課題】
【０００４】
しかしながら、上記のように保護シートを用いるものでは、構造が複雑になってしまうという問題があった。
【０００５】
したがって、本発明は、簡素な構造でタッチパネル部の衛生上の懸念を排除することができる店舗システムの提供を目的とする。
【課題を解決するための手段】
【０００６】
上記目的を達成するために、請求項１に係る発明は、店舗に配置され、来店者が触れることで情報の入力が可能なタッチパネル部を備えた自動機と、除菌イオンを発生する除菌イオン発生手段と、該除菌イオン発生手段にて発生した除菌イオンを含む風を前記タッチパネル部に向け送風する送風手段とを有し、前記送風手段は、一の前記除菌イオン発生手段により発生した除菌イオンを含む風を、複数の前記自動機に向けて分岐案内するダクトを有することを特徴とする。
【０００７】
請求項２に係る発明は、店舗に配置され、来店者が触れることで情報の入力が可能なタッチパネル部を備えた自動機と、除菌イオンを発生する除菌イオン発生手段と、該除菌イオン発生手段にて発生した除菌イオンを含む風を前記タッチパネル部に向け送風する送風手段とを有し、前記送風手段は、一の前記除菌イオン発生手段により発生した除菌イオンを含む風の方向を、複数方向に選択的に切り換える切換手段を有することを特徴とする。
【０００９】
請求項３に係る発明は、請求項１に係る発明において、前記送風手段は、一の前記除菌イオン発生手段により発生した除菌イオンを含む風の方向を、複数方向に選択的に切り換える切換手段を有することを特徴とする。
【００１０】
請求項４に係る発明は、請求項２または３に係る発明において、前記切換手段は、前記風の方向を、定期的に切り換えることを特徴とする。
【００１１】
請求項５に係る発明は、請求項２乃至４のいずれか一項に係る発明において、複数の前記自動機のそれぞれの前面側に人が居ることを検知する検知手段と、前面側に人が居ることが前記検知手段により検知された前記自動機の方向を優先して、前記切換手段により前記風の方向を切り換える優先手段とを有することを特徴とする。
【００１２】
請求項６に係る発明は、請求項５に係る発明において、前面側に人が居ることが前記検知手段により検知された前記自動機の数に応じて、前記除菌イオン発生手段による除菌イオンの発生濃度および前記送風手段による送風量の少なくともいずれか一方を増減制御する制御手段を有することを特徴とする。
【００１４】
請求項７に係る発明は、請求項１乃至６のいずれか一項に係る発明において、前記除菌イオン発生手段および前記送風手段が、前記自動機とは別に設けられていることを特徴とする。
請求項８に係る発明は、請求項１乃至７のいずれか一項に係る発明において、前記店舗が金融機関の自動機コーナーであり、前記自動機が前記自動機コーナーに配置された現金取扱機であることを特徴とする。
請求項９に係る発明は、請求項１乃至８のいずれか一項に係る発明において、前記店舗が金融機関のロビーであり、前記自動機が前記ロビーに配置された窓口呼出番号発券機であることを特徴とする。
【発明の効果】
【００１５】
請求項１または２に係る発明によれば、除菌イオン発生手段が除菌イオンを発生し、送風手段がこの除菌イオンを含む風をタッチパネル部に向け送風することにより、タッチパネル部に除菌イオンを吹き付けることになる。これにより、タッチパネル部を除菌イオンで除菌することができる。したがって、簡素な構造でタッチパネル部の衛生上の懸念を排除することができる。
【００１７】
請求項１に係る発明によれば、一の除菌イオン発生手段により発生した除菌イオンを含む風を、送風手段のダクトが、複数の自動機に向けて分岐案内することになる。したがって、除菌イオン発生手段を最小限にしても、複数の自動機について、より確実にタッチパネル部の衛生上の懸念を排除することができる。
【００１８】
請求項２または３に係る発明によれば、一の除菌イオン発生手段により発生した除菌イオンを含む風を、切換手段が、複数方向に選択的に切り換えることになる。したがって、除菌イオン発生手段を最小限にしても、複数の自動機について、効果的に、タッチパネル部の衛生上の懸念を排除することができる。
【００１９】
請求項４に係る発明によれば、切換手段が、一の除菌イオン発生手段により発生した除菌イオンを含む風の方向を、定期的に切り換えることになる。したがって、除菌イオン発生手段を最小限にしても、複数の自動機について、バランス良く簡単な制御で、タッチパネル部の衛生上の懸念を排除することができる。
【００２０】
請求項５に係る発明によれば、優先手段が、前面側に人が居ることが検知手段により検知された自動機の方向を優先して、切換手段により、除菌イオンを含む風の方向を切り換えるため、操作された可能性の高い自動機のタッチパネル部に優先的に除菌イオンを吹き付けることになる。したがって、除菌イオン発生手段を最小限にしても、複数の自動機について、効果的にタッチパネル部の衛生上の懸念を排除することができる。
【００２１】
請求項６に係る発明によれば、制御手段が、前面側に人が居ることが検知手段により検知された自動機の数に応じて、除菌イオン発生手段による除菌イオンの発生濃度および送風手段による送風量の少なくともいずれか一方を増減制御するため、操作された可能性の高い自動機のすべてのタッチパネル部に、十分な発生濃度の除菌イオンあるいは十分な送風量の除菌イオンを含む風を送ることができる。したがって、除菌イオン発生手段を最小限にしても、複数の自動機について、タッチパネル部の衛生上の懸念を確実に排除することができる。
【００２３】
請求項７に係る発明によれば、除菌イオン発生手段および送風手段が、自動機とは別に設けられているため、自動機自体に改造等を行うことなく、後付けで除菌イオン発生手段および送風手段を追加できる。
請求項８に係る発明によれば、金融機関の自動機コーナーに配置された複数の自動機について、簡素な構造でタッチパネル部の衛生上の懸念を排除することができる。
請求項９に係る発明によれば、金融機関のロビーに配置された窓口呼出番号発券機について、簡素な構造でタッチパネル部の衛生上の懸念を排除することができる。
【図面の簡単な説明】
【００２４】
【図１】本発明の第１実施形態に係る店舗システムを示す正面図である。
【図２】本発明の第２実施形態に係る店舗システムを示す正面図である。
【発明を実施するための形態】
【００２５】
本発明の第１実施形態に係る店舗システムを図１を参照して以下に説明する。
第１実施形態に係る店舗システム１０は、店舗としての金融機関の自動機コーナー１１に適用されるものである。
【００２６】
自動機コーナー１１は、図示略のドアを開くことで人の出入りが可能な閉空間であり、複数台具体的には四台の自動機１２が壁際に並べて配置されている。これらの自動機１２は、紙幣および硬貨の入金および出金が可能な自動現金預払機であり、案内表示を行うとともに来店者が触れることで情報の入力が可能なタッチパネル部１５と、硬貨の入金および出金を行う硬貨入出金口１６と、紙幣の入金および出金を行う紙幣入出金口１７とが、前面側の上向きの操作面１８に設けられている。また、各自動機１２には、それぞれの上部の前面に、前面側の人の有無を検知する人感センサ（検知手段）１９と、キャッシュカードが挿入されるカード挿入口２０と、通帳が挿入される通帳挿入口２１と、取引明細票を発行する明細票発行口２３とが設けられている。隣り合う自動機１２の間および両側の自動機１２の外側には仕切壁板２２が立設されている。
【００２７】
そして、これら自動機１２の上側に、除菌イオンを発生する除菌イオン発生器（除菌イオン発生手段）２５と、除菌イオン発生器２５にて発生した除菌イオンを含む風を発生させるファン（送風手段）２６と、これらを制御する制御部（制御手段，優先手段）２７とを有する除菌イオン送風装置２８が、後付け可能となるように自動機１２とは別に設けられている。ここで、除菌イオン発生器２５は除菌イオンの発生濃度を変更可能であり、ファン２６は送風量を変更可能となっている。
【００２８】
除菌イオン送風装置２８は、複数の自動機１２に共用の一の除菌イオン発生器２５により発生した除菌イオンを含む風を、複数の自動機１２に向けて分岐案内するダクト（送風手段）３１を有している。このダクト３１は、ファン２６の送風を上流側で案内する一つの共通ダクト部３２と、この共通ダクト部３２から分岐して各自動機１２のタッチパネル部１５に向けて延びる複数具体的には四本の分岐ダクト部３３とを有している。各分岐ダクト部３３は、各自動機１２の正面から見て左側の仕切壁板２２を伝ってタッチパネル部１５の手前まで延在しており、吹出口３４がタッチパネル部１５、硬貨入出金口１６および紙幣入出金口１７に指向している。よって、ファン２６およびダクト３１を含む除菌イオン送風装置２８は、除菌イオン発生器２５により発生した除菌イオンを含む風を、複数の自動機１２のタッチパネル部１５、硬貨入出金口１６（つまり硬貨入出金口１６に出金した硬貨）および紙幣入出金口１７（つまり紙幣入出金口１７に出金した紙幣）に向け送風する。
【００２９】
すべての分岐ダクト部３３には個別に開閉制御可能な開閉弁（切換手段）４０が設けられており、制御部２７は、これら開閉弁４０の開閉状態を切り換えることで、一の除菌イオン発生器２５により発生した除菌イオンを含む風の方向を、複数方向に選択的に切り換えるようになっている。例えば、すべての開閉弁４０を開いてすべての分岐ダクト部３３から除菌イオンを含む風を吹き出させたり、いずれか一つの開閉弁４０のみを開いてこの開閉弁４０が設けられた分岐ダクト部３３のみから除菌イオンを含む風を吹き出させたり、いずれか複数の開閉弁４０のみを開いてこれらの開閉弁４０が設けられた分岐ダクト部３３のみから除菌イオンを含む風を吹き出させたりする。
【００３０】
制御部２７は、いずれかの自動機１２の前面側に人が居ることが人感センサ１９により検知されると、除菌イオン送風装置２８の除菌イオン発生器２５およびファン２６を駆動して、この検知した人感センサ１９を含む自動機１２に対して、この自動機１２の方向を優先して、除菌イオンを含む風の方向を、開閉弁４０により切り換える。
【００３１】
つまり、正面から見て左端の自動機１２の人感センサ１９が前面側に人が居ることを検知すると、図１に示すように、この自動機１２に対して設けられた分岐ダクト部３３の開閉弁４０を開状態として、この自動機１２のタッチパネル部１５、硬貨入出金口１６および紙幣入出金口１７に除菌イオンを含む風を吹き付ける状態とする。その後、この自動機１２の人感センサ１９が、前面側に人が居ることを検知しない状態になると、所定時間経過後に、この自動機１２に対して設けられた分岐ダクト部３３の開閉弁４０を閉状態とする。
【００３２】
同様に、正面から見て左から二番目の自動機１２の人感センサ１９が前面側に人が居ることを検知すると、この自動機１２に対して設けられた分岐ダクト部３３の開閉弁４０を開状態として、この自動機１２のタッチパネル部１５、硬貨入出金口１６および紙幣入出金口１７に除菌イオンを含む風を吹き付ける状態とする。その後、この自動機１２の人感センサ１９が前面側に人が居ることを検知しない状態になると、所定時間経過後に、この自動機１２に対して設けられた分岐ダクト部３３の開閉弁４０を閉状態とする。
【００３３】
同様に、正面から見て左から三番目の自動機１２の人感センサ１９が前面側に人が居ることを検知すると、この自動機１２に対して設けられた分岐ダクト部３３の開閉弁４０を開状態として、この自動機のタッチパネル部１５、硬貨入出金口１６および紙幣入出金口１７に除菌イオンを含む風を吹き付ける状態とする。その後、この自動機１２の人感センサ１９が前面側に人が居ることを検知しない状態になると、所定時間経過後に、この自動機１２に対して設けられた分岐ダクト部３３の開閉弁４０を閉状態とする。
【００３４】
同様に、正面から見て右端の自動機１２の人感センサ１９が前面側に人が居ることを検知すると、この自動機１２に対して設けられた分岐ダクト部３３の開閉弁４０を開状態として、この自動機のタッチパネル部１５、硬貨入出金口１６および紙幣入出金口１７に除菌イオンを含む風を吹き付ける状態とする。その後、この自動機１２の人感センサ１９が前面側に人が居ることを検知しない状態になると、所定時間経過後に、この自動機１２に対して設けられた分岐ダクト部３３の開閉弁４０を閉状態とする。
【００３５】
しかも、制御部２７は、開状態とする開閉弁４０の数に応じて除菌イオン発生器２５による除菌イオンの発生濃度およびファン２６による送風量の両方を増減制御する。つまり、一つの開閉弁４０のみを開く場合には、発生濃度および送風量の両方を低くし、二つの開閉弁４０のみを開く場合には、一つのみ開く場合よりも、発生濃度および送風量の両方を高くし、三つの開閉弁４０のみを開く場合には、二つのみ開く場合よりも、発生濃度および送風量の両方を高くし、四つすべての開閉弁４０を開く場合には、三つのみ開く場合よりも、発生濃度および送風量の両方を高くする。このとき、すべての自動機のタッチパネル部１５、硬貨入出金口１６および紙幣入出金口１７の除菌イオンの単位時間当たりの吹付量が略同等になるように制御する。なお、発生濃度および送風量の両方を増減制御するのではなく、いずれか一方のみを増減制御しても良い。以上により、制御部２７は、前面側に人が居ることが人感センサ１９により検知された自動機の数に応じて、除菌イオン発生器２５による除菌イオンの発生濃度およびファン２６による送風量の少なくともいずれか一方を増減制御する。
【００３６】
制御部２７は、人感センサ１９により、前面側に人が居ることが検知された自動機１２が一台もない状況になると、所定時間経過後、除菌イオン送風装置２８の除菌イオン発生器２５およびファン２６を停止状態とする。
【００３７】
以上に述べた第１実施形態の店舗システム１０によれば、除菌イオン発生器２５が除菌イオンを発生し、ファン２６およびダクト３１がこの除菌イオンを含む風をタッチパネル部１５、硬貨入出金口１６および紙幣入出金口１７に向け送風することにより、タッチパネル部１５、出金した硬貨および出金した紙幣に除菌イオンを吹き付けることになる。これにより、タッチパネル部１５、出金した硬貨および出金した紙幣を除菌イオンで除菌することができる。したがって、簡素な構造でタッチパネル部１５、出金した硬貨および出金した紙幣の衛生上の懸念を排除することができる。よって、衛生上の懸念がないためタッチパネル部１５に鍵やペン等で触れることを避けるように使用者に案内でき、鍵やペン等で触れることによるタッチパネル部１５の損傷を防止することができる。
【００３８】
また、金融機関の自動機コーナー１１に配置された複数の自動機１２について、簡素な構造でタッチパネル部１５、出金した硬貨および出金した紙幣の衛生上の懸念を排除することができる。
【００３９】
また、一の除菌イオン発生器２５により発生した除菌イオンを含む風を、ダクト３１が、複数の自動機１２に向けて分岐案内することになる。したがって、除菌イオン発生器２５を最小限にしても、複数の自動機１２について、より確実にタッチパネル部１５、出金した硬貨および出金した紙幣の衛生上の懸念を排除することができる。なお、除菌イオン発生器２５により発生した除菌イオンを含む風を各自動機１２に略均等に送風することができるように、ダクト３１の形状を設定したり、ファン２６の数や位置を設定したり、ファン２６の強弱を変更したりすることができる。
【００４０】
また、一の除菌イオン発生器２５により発生した除菌イオンを含む風を、開閉弁４０が、複数方向に選択的に切り換えることになる。したがって、除菌イオン発生器２５を最小限にしても、複数の自動機１２について、効果的に、タッチパネル部１５、出金した硬貨および出金した紙幣の衛生上の懸念を排除することができる。
【００４１】
また、制御部２７が、前面側に人が居ることが人感センサ１９により検知された自動機１２の方向を優先して、開閉弁４０により、除菌イオンを含む風の方向を切り換えるため、操作された可能性の高い自動機１２のタッチパネル部１５、硬貨入出金口１６および紙幣入出金口１７に優先的に除菌イオンを吹き付けることになる。したがって、除菌イオン発生器２５を最小限にしても、複数の自動機１２について、効果的にタッチパネル部１５、出金した硬貨および出金した紙幣の衛生上の懸念を排除することができる。例えば、場所的に多くの人が使用する自動機１２に対して、除菌イオンを含む風を多く流し、場所的に使用する人が少ない自動機１２に対して、除菌イオンを含む風を少なく流すこと等ができる。
【００４２】
また、制御部２７が、前面側に人が居ることが人感センサ１９により検知された自動機１２の数に応じて、除菌イオン発生器２５による除菌イオンの発生濃度およびファン２６による送風量の少なくともいずれか一方を増減制御するため、操作された可能性の高い自動機１２のすべてのタッチパネル部１５、硬貨入出金口１６および紙幣入出金口１７に、十分な発生濃度の除菌イオンあるいは十分な送風量の除菌イオンを含む風を送ることができる。したがって、除菌イオン発生器２５を最小限にしても、複数の自動機１２について、タッチパネル部１５、出金した硬貨および出金した紙幣の衛生上の懸念を確実に排除することができる。
【００４３】
また、除菌イオン発生器２５、ファン２６およびダクト３１を含む除菌イオン送風装置２８が、自動機１２とは別に設けられているため、自動機１２自体に改造等を行うことなく、後付けで除菌イオン発生器２５、ファン２６およびダクト３１を含む除菌イオン送風装置２８を追加できる。
【００４４】
なお、制御部２７は、除菌イオンを含む風の方向を、定期的に切り換えるようにしても良い。つまり、例えば、正面から見て左端の自動機１２に対して設けられた分岐ダクト部３３の開閉弁４０のみを開状態として、この自動機１２のタッチパネル部１５、硬貨入出金口１６および紙幣入出金口１７に除菌イオンを含む風を吹き付ける状態とし、その一定時間時間経過後に、正面から見て左から二番目の自動機１２に対して設けられた分岐ダクト部３３の開閉弁４０のみを開状態として、この自動機１２のタッチパネル部１５、硬貨入出金口１６および紙幣入出金口１７に除菌イオンを含む風を吹き付ける状態とし、その一定時間時間経過後に、正面から見て左から三番目の自動機１２に対して設けられた分岐ダクト部３３の開閉弁４０のみを開状態として、この自動機１２のタッチパネル部１５、硬貨入出金口１６および紙幣入出金口１７に除菌イオンを含む風を吹き付ける状態とし、その一定時間時間経過後に、正面から見て右端の自動機１２に対して設けられた分岐ダクト部３３の開閉弁４０のみを開状態として、この自動機のタッチパネル部１５、硬貨入出金口１６および紙幣入出金口１７に除菌イオンを含む風を吹き付ける状態とし、その一定時間時間経過後に、正面から見て左端の自動機１２に対して設けられた分岐ダクト部３３の開閉弁４０のみを開状態として、この自動機12のタッチパネル部１５、硬貨入出金口１６および紙幣入出金口１７に除菌イオンを含む風を吹き付ける状態とする、という作動を繰り返すのである。
【００４５】
このように、開閉弁４０が、一の除菌イオン発生器２５により発生した除菌イオンを含む風の方向を、定期的に切り換えるようにすれば、除菌イオン発生器２５を最小限にしても、複数の自動機１２について、バランス良く簡単な制御で、タッチパネル部１５、出金した硬貨および出金した紙幣の衛生上の懸念を排除することができる。
【００４６】
なお、除菌イオン送風装置２８が、除菌イオン発生器２５により発生した除菌イオンを含む風を、硬貨入出金口１６および紙幣入出金口１７に向けることなく、タッチパネル部１５のみに向け送風するようにしても良い。
【００４７】
本発明の第２実施形態に係る店舗システムを図２を参照して、第１実施形態との相違部分を中心に以下に説明する。なお、第１実施形態と同様の部分には同一の符号を付しその説明は略す。
【００４８】
第２実施形態の店舗システム１０は、店舗としての金融機関のロビー５１に適用されるものである。
【００４９】
ロビー５１は、図示略のドアを開くことで人の出入りが可能な閉空間であり、一台の自動機５２が配置されている。この自動機５２は、窓口呼出番号発券機であり、案内表示を行うとともに来店者が触れることで情報の入力が可能なタッチパネル部５３と、呼出番号表示券を発券する発券部５４とが、前面側の上向きの操作面５５に設けられている。また、この自動機５２にも、前面に、前面側の人の有無を検知する人感センサ５６（検知手段）が設けられている。
【００５０】
そして、この自動機５２の上側に、上記と同様の除菌イオン送風装置２８が設けられており、この除菌イオン送風装置２８は、一本のダクト（送風手段）６１が、一の除菌イオン発生器２５により発生した除菌イオンを含む風を一の自動機５２に向けて案内する。このダクト６１は、自動機５２のタッチパネル部５３に向けて延び、吹出口６２がタッチパネル部５３に指向している。よって、ファン２６およびダクト６１を含む除菌イオン送風装置２８は、除菌イオン発生器２５により発生した除菌イオンを含む風を、自動機５２のタッチパネル部５３に向け送風する。
【００５１】
制御部２７は、自動機５２の人感センサ５６により、前面側に人が居ることが検知されると、除菌イオン発生器２５およびファン２６を駆動して、この自動機５２のタッチパネル部５３に除菌イオンを含む風を吹き付ける状態とする。そして、自動機５２の人感センサ５６により、前面側に人が居ない状態となったことが検知されてから所定時間経過すると、除菌イオン発生器２５およびファン２６の駆動を停止する。
【００５２】
以上に述べた第２実施形態によれば、金融機関のロビー５１に配置された窓口呼出番号発券機である自動機５２について、簡素な構造でタッチパネル部５３の衛生上の懸念を排除することができる。
【００５３】
なお、第１実施形態および第２実施形態において、ダクト３１，６１を自動機１２，５２内に配索し吹出口３４，６２を自動機１２，５２の例えば前面にタッチパネル部１５，５３に近接するように形成して、除菌イオン発生器２５により発生した除菌イオンを含む風をタッチパネル部１５，５３に向け吹き出すようにしても良い。
【００５４】
また、第１実施形態および第２実施形態において、ダクト３１，６１を設けずに、自動機１２，５２の上部あるいは建屋天井に除菌イオン送風装置を載置して、この除菌イオン送風装置のファンおよびルーバーで、除菌イオン発生器により発生した除菌イオンを含む風をタッチパネル部１５，５３に向け吹き出すようにしても良い。
【符号の説明】
【００５５】
１０  店舗システム
１１  自動機コーナー（店舗）
１２，５２  自動機
１５，５３  タッチパネル部
１９，５６  人感センサ（検知手段）
２５  除菌イオン発生器（除菌イオン発生手段）
２６  ファン（送風手段）
２７  制御部（制御手段，優先手段）
３１，６１  ダクト（送風手段）
４０  開閉弁（切換手段）
５１  ロビー（店舗）
【図１】
0005512394.tif 000002
【図２】
0005512394.tif 000003